(57)【要約】【課題】高演色性以外のさらなる特性を取得できる発光装置を提供する。【解決手段】発光装置１０は、発光波長が４２０ｎｍ〜４８０ｎｍにピーク波長を有する青色光を放射するＬＥＤ光源１２と、ＬＥＤ光源１２の発光により励起して波長変換した光を放射する複数の蛍光体１３，１４とから構成され、蛍光体１３，１４のうちの一方に、ＭＳｉ２（Ｏ，Ｘ）２Ｎ２：Ｅｕ（Ｓｒ，Ｂａ，Ｃａ、Ｘ＝Ｃｌ，Ｂｒ）からの青緑光が含まれており、得られる白色光のスペクトルが、４８０ｎｍ〜５２０ｎｍにピーク波長を有する。【選択図】図２
2013064033.tif 000002
【特許請求の範囲】
【請求項１】
発光波長が４２０ｎｍ〜４８０ｎｍにピーク波長を有する青色光を放射するＬＥＤ光源と、
前記ＬＥＤ光源の発光により励起して波長変換した光を放射する複数の蛍光体とから構成され、
前記蛍光体のうちの一方に、ＭＳｉ２（Ｏ，Ｘ）２Ｎ２：Ｅｕ（Ｓｒ，Ｂａ，Ｃａ、Ｘ＝Ｃｌ，Ｂｒ）からの青緑光が含まれており、得られる白色光のスペクトルが、４８０ｎｍ〜５２０ｎｍにピーク波長を有する発光装置。
【請求項２】
請求項１に記載の発光装置において、
前記蛍光体のうちの一方は、前記ＬＥＤ光源に対して他方の前記蛍光体よりも離れて配置される発光装置。
【発明の詳細な説明】
【技術分野】
【０００１】
本発明は、発光ダイオードを有する発光装置に関する。
【背景技術】
【０００２】
従来より、発光ダイオードと、発光ダイオードからの光の少なくとも一部を波長変換する第１蛍光体および第２蛍光体とを少なくとも有する発光装置が知られている（例えば、特許文献１参照）。
特許文献１は、第１蛍光体が、酸窒化物蛍光体を有し、酸窒化物蛍光体と共に用いられる第２蛍光体が含有されており、第２蛍光体は、励起光源からの光および酸窒化物蛍光体からの光の少なくとも一部を波長変換し、可視光領域に発光ピーク波長を有する。
【０００３】
特許文献１は、第２蛍光体が、青色系領域から、緑色系、黄色系、赤色系領域までに少なくとも１以上の発光ピーク波長を有する。
特許文献１は、励起光源の有する発光ピーク波長から、酸窒化物蛍光体の有する発光ピーク波長若しくは第２蛍光体の有する発光ピーク波長までの中間の発光色を有する。
【０００４】
また、従来より、光源として４００ｎｍのピーク発光波長をもつＩｎＧａＮタイプの発光ダイオードを用いた発光装置が知られている（例えば、特許文献２参照）。
特許文献２は、ＬＥＤの１次ＵＶ放射が約４００ｎｍであり、２次放射は約５００ｎｍで発光するＢａＳｉ２Ｏ２Ｎ２：Ｅｕを用いた第１蛍光体と、オレンジレッドを発する窒化珪酸塩を用いた第２蛍光体により発せられる。
【先行技術文献】
【特許文献】
【０００５】
【特許文献１】特許第４４４２１０１号公報（図１、段落００４２）
【特許文献２】特許第３８５１３３１号公報（図１、段落００１５、００１６）
【発明の概要】
【発明が解決しようとする課題】
【０００６】
特許文献１は、紫外から可視光領域の励起光源により励起され、波長変換される青緑色系から黄色系に発光色を有する蛍光体を用いることができる。
特許文献２は、新しい発光材料を提供できる。
【０００７】
ところで、青色ＬＥＤ光源と、青色ＬＥＤ光源の発光により励起発光する黄色蛍光体（もしくは、緑色蛍光体＋赤色蛍光体)を用いることにより、白色ＬＥＤ照明を生成する発光装置が提案されている。
このような従来の発光装置は、青色ＬＥＤ光源と、黄色蛍光体との組み合わせが演色性に乏しいことを改善するために提案された。
【０００８】
図４に示すように、このような従来の発光装置は、青色ＬＥＤ光源と、緑色蛍光体と、赤色蛍光体の組合せを適用している。
このような従来の発光装置は、青色ＬＥＤ光源からの青色光である原励起スペクトルＡ１０が４５０ｎｍ付近で最大の１００％の発光効率となる。
これに対して、このような従来の発光装置は、緑色蛍光体により励起される緑色光である励起スペクトルＡ１１が５５０ｎｍ付近で６０％の発光効率となる。
【０００９】
さらに、このような従来の発光装置は、赤色蛍光体により励起される赤色光である励起スペクトルＡ１２が６５０ｎｍ付近で６０％の発光効率となる。
そのため、このような従来の発光装置は、４５０ｎｍ付近で最大の１００％の発光効率となっている青色光が強くなって、目への刺激が多い。
従って、このような従来の発光装置は、演色性の向上に加えてさらなる特性を得ることが望まれている。
【００１０】
本発明は、前述した課題を解決するためになされたものであり、その目的は、高演色性に加えてさらなる特性を取得できる発光装置を提供することにある。
【課題を解決するための手段】
【００１１】
本発明に係る発光装置は、発光波長が４２０ｎｍ〜４８０ｎｍにピーク波長を有する青色光を放射するＬＥＤ光源と、前記ＬＥＤ光源の発光により励起して波長変換した光を放射する複数の蛍光体とから構成され、前記蛍光体に、ＭＳｉ２（Ｏ，Ｘ）２Ｎ２：Ｅｕ（Ｓｒ，Ｂａ，Ｃａ、Ｘ＝Ｃｌ，Ｂｒ）からの青緑光が含まれており、得られる白色光のスペクトルが、４８０ｎｍ〜５２０ｎｍにピーク波長を有する。
【００１２】
本発明に係る発光装置は、前記蛍光体のうちの一方は、前記ＬＥＤ光源に対して他方の前記蛍光体よりも離れて配置される。
【発明の効果】
【００１３】
本発明に係る発光装置によれば、高演色性に加えてさらなる特性を取得できるという効果を奏する。
【図面の簡単な説明】
【００１４】
【図１】本発明に係る一実施形態の発光装置の積層時の垂直断面図
【図２】本発明に係る一実施形態の発光装置の封止後の垂直断面図
【図３】本発明に係る一実施形態の発光装置のスペクトル特性図
【図４】従来の発光装置のスペクトル特性図
【発明を実施するための形態】
【００１５】
以下、本発明に係る一実施形態の発光装置について図面を参照して説明する。
本発明者は、ＭＳｉ２（Ｏ，Ｘ）２Ｎ２：Ｅｕ（Ｓｒ，Ｂａ，Ｃａ、Ｘ＝Ｃｌ，Ｂｒ）がカチオンＭに応じて青緑色光から橙色光を放射することが可能であり、高い発光効率が得られることに着目した。
そして、この蛍光体を含めた白色ＬＥＤ照明を作製したところ、得られる白色光のスペクトルには、この蛍光体からの発光によるピークが含まれ、その特徴により、高演色性に加えてさらなる特性が現れることを見出した。
【００１６】
以下、本発明に係る一実施形態の発光装置について図面を参照して説明する。
図１に示すように、本発明に係る一実施形態の発光装置１０は、基板１１と、ＬＥＤチップ１２と、一方の蛍光体である第１蛍光体１３と、他方の蛍光体である第２蛍光体１４とから構成される。
第１蛍光体１３は、ＭＳｉ２（Ｏ，Ｘ）２Ｎ２：Ｅｕ（Ｓｒ，Ｂａ，Ｃａ、Ｘ＝Ｃｌ，Ｂｒ）からの青緑光が含まれている。
第２蛍光体１４は、緑色蛍光体、黄色蛍光体および赤色蛍光体である。
【００１７】
発光装置１０は、積層時に、基板１１上にＬＥＤチップ１２が載置され、このＬＥＤチップ１２上に、第２蛍光体１４がシリコーン樹脂である透明樹脂等のバインダーにより保持される。
次に、第２蛍光体１４上に、第１蛍光体１３がシリコーン樹脂である透明樹脂等のバインダーにより保持される。
【００１８】
図２に示すように、発光装置１０は、封止時に、基板１１上にＬＥＤチップ１２が載置され、このＬＥＤチップ１２を囲んで第２蛍光体１４が封止され、第２蛍光体１４を囲んで第１蛍光体１３が封止される。
第１蛍光体１３は、ＬＥＤチップ１２に対して第２蛍光体１４よりも離れた位置に封止されている。
従って、第２蛍光体１４による光成分の再吸収を抑制できる。
【００１９】
次に、発光装置１０のスペクトル特性について説明する。
図３に示すように、発光装置１０のスペクトル特性は、ＬＥＤチップ１２からの青色光である原励起スペクトルＡ１が４５０ｎｍ付近において最大の１００％の発光効率となる。
このとき、第１蛍光体１３により励起される緑色光である励起スペクトルＡ２が５２０ｎｍ付近において最大の１００％の発光効率となる。
そして、第２蛍光体１４により励起される赤色光である励起スペクトルＡ３は、６５０ｎｍ付近において９０％の発光効率である。
【００２０】
つまり、発光装置１０は、５２０ｎｍ付近において最大の１００％の発光効率を有する緑色光が、４５０ｎｍ付近において最大の１００％の発光効率を有する青色光にシフトされている。
従って、発光装置１０は、得られる白色光のスペクトルが、４８０ｎｍ〜５２０ｎｍにピーク波長を有するものとなる。
【００２１】
通常、白色光を得るために、ＬＥＤチップ１２からの青色光の一部は外部に取り出される。このＬＥＤチップ１２から放射される短波長光は、光子エネルギーが大きいために、目に入ると損傷を及ぼすことが懸念される。
そこで、発光装置１０は、ＭＳｉ２（Ｏ，Ｘ）２Ｎ２：Ｅｕの第１蛍光体１３を適用することにより、光子エネルギーの大きい青色光の一部をシフトさせて青緑蛍光体からの発光に変換している。
従って、発光装置１０は、得られる白色光が目への影響を低減できるものとなる。
【００２２】
以上、説明した本発明に係る一実施形態の発光装置１０によれば、ＭＳｉ２（Ｏ，Ｘ）２Ｎ２：Ｅｕの第１蛍光体１３により、光子エネルギーの大きい青色光の一部をシフトさせて青緑蛍光体からの発光に変換している。
従って、発光装置１０によれば、高演色性に加えて得られる白色光が目への影響を低減できる。
【００２３】
また、一実施形態の発光装置１０によれば、第１蛍光体１３がＬＥＤチップ１２に対して第２蛍光体１４よりも離れた位置に封止されているために、第２蛍光体１４による光成分の再吸収を抑制できる。
【００２４】
なお、本発明の発光装置において基板等は、前述した一実施形態に限定されるものでなく、適宜な変形や改良等が可能である。
【符号の説明】
【００２５】
１０  発光装置
１２  ＬＥＤチップ（ＬＥＤ光源）（発光ダイオード）
１３  第１蛍光体１３（一方の蛍光体）
１４  第２蛍光体１４（他方の蛍光体）
【図１】
2013064033.tif 000003
【図２】
2013064033.tif 000004
【図３】
2013064033.tif 000005
【図４】
2013064033.tif 000006